(57)【要約】      （修正有）【課題】簡単な構成で、薬剤の滴下状態を長時間監視し、点滴の終了時やトラブル発生時に確実に報知することが可能な点滴監視装置を提供する。【解決手段】チャンバー１内を滴下する液滴を検知して検知信号を出力する検知部１０と、検知部１０から出力された検知信号が入力されるとともに、外部に報知信号を出力する回路部２０とを有する点滴監視装置１００であって、回路部２０は、設定時間の異なる複数の並列タイマーと一つの直列タイマーとからなり、複数の並列タイマーは、検知部１０から出力された検知信号が入力されると、それぞれの設定時間の間ＯＮ状態になった後ＯＦＦ状態に戻り、一つの直列タイマーは、設定時間が経過したときに複数の並列タイマーのいずれかがＯＮ状態の場合にはＯＮ状態を維持して再びカウントを開始し、複数の並列タイマーのすべてがＯＦＦ状態の場合にはＯＦＦ状態になって外部に報知信号を出力する。【選択図】図１
0003155547.tif 000002
【実用新案登録請求の範囲】
【請求項１】
チャンバー内を滴下する液滴を検知して検知信号を出力する検知部と、前記検知部から出力された検知信号が入力されるとともに、外部に報知信号を出力する回路部とを有する点滴監視装置であって、
前記回路部は、前記検知部に接続された設定時間の異なる複数の並列タイマーと、前記複数の並列タイマーに接続された一つの直列タイマーとからなり、
前記複数の並列タイマーは、前記検知部から出力された検知信号が入力されると、それぞれの設定時間の間ＯＮ状態になった後ＯＦＦ状態に戻り、
前記一つの直列タイマーは、前記一つの直列タイマーの設定時間が経過したときに前記複数の並列タイマーのいずれかがＯＮ状態の場合にはＯＮ状態を維持して再びカウントを開始し、前記一つの直列タイマーの設定時間が経過したときに前記複数の並列タイマーのすべてがＯＦＦ状態の場合にはＯＦＦ状態になって外部に報知信号を出力することを特徴とする点滴監視装置。
【考案の詳細な説明】
【技術分野】
【０００１】
本考案は、点滴の終了や点滴時のトラブル等を自動的に検知して、通報又は警報する点滴監視装置に関するものである。
【背景技術】
【０００２】
従来、医療機関等で点滴により治療を行う場合には、点滴の終了や点滴時のトラブル等を確認するために、患者自身や看護師などの人間の目で薬剤の滴下状態を監視する必要があった。点滴の終了や点滴時のトラブル等に気付かずに処置が遅れると、血液が逆流するなどの問題が生じる可能性があるため、患者には点滴中常に不安感が生じ、また看護師にとっては、昼間の多忙な時間や夜中に点滴に伴う見廻りが必要になるなどの気苦労が多かった。
【０００３】
これに対して、点滴の終了や点滴時のトラブル等を監視するための装置が提案されている。例えば、特許文献１乃至特許文献４には、光センサーを利用して薬剤の滴下状態を監視し、点滴の終了時やトラブル発生時に何らかの通報等を行うようにした考案が記載されている。これらの考案は、患者自身や看護師などの人間の目に頼ることなく点滴の監視を行うことができるので、患者や看護師の負担を軽減することができるというものである。
【先行技術文献】
【特許文献】
【０００４】
【特許文献１】実用新案登録第３００６０５８号公報
【特許文献２】実用新案登録第３０５５２８０号公報
【特許文献３】実開平５−６２２５３号公報
【特許文献４】実開平５−７８２４５号公報
【考案の概要】
【考案が解決しようとする課題】
【０００５】
しかしながら、上記特許文献１乃至特許文献４に記載された考案においては、光センサーによる薬剤の滴下検知が一定時間行われなくなると、「点滴が終了した」あるいは「トラブルが発生した」と判断するのであるが、その構成が不明確であったり、複雑な演算処理が必要であったりするなどの課題がある。
【０００６】
本考案は、上記従来の課題を解決するものであり、複数のタイマーを組み合わせた簡単な構成で、薬剤の滴下状態を長時間監視することが可能で、さらに点滴の終了時やトラブル発生時に確実に報知することが可能な点滴監視装置を提供するものである。
【課題を解決するための手段】
【０００７】
請求項１に係る考案の点滴監視装置は、チャンバー内を滴下する液滴を検知して検知信号を出力する検知部と、前記検知部から出力された検知信号が入力されるとともに、外部に報知信号を出力する回路部とを有する点滴監視装置であって、前記回路部は、前記検知部に接続された設定時間の異なる複数の並列タイマーと、前記複数の並列タイマーに接続された一つの直列タイマーとからなり、前記複数の並列タイマーは、前記検知部から出力された検知信号が入力されると、それぞれの設定時間の間ＯＮ状態になった後ＯＦＦ状態に戻り、前記一つの直列タイマーは、前記一つの直列タイマーの設定時間が経過したときに前記複数の並列タイマーのいずれかがＯＮ状態の場合にはＯＮ状態を維持して再びカウントを開始し、前記一つの直列タイマーの設定時間が経過したときに前記複数の並列タイマーのすべてがＯＦＦ状態の場合にはＯＦＦ状態になって外部に報知信号を出力することを特徴とする。
【考案の効果】
【０００８】
請求項１に記載の考案によれば、チャンバー内を滴下する液滴を検知して検知信号を出力する検知部には、設定時間の異なる複数の並列タイマーがそれぞれ接続されており、検知部から出力された検知信号が入力されることで、複数の並列タイマーはそれぞれ設定された時間だけＯＮ状態になった後ＯＦＦ状態に戻る。従って、複数の並列タイマーは、別々にＯＮ−ＯＦＦ状態を繰り返すことになる。
【０００９】
複数の並列タイマーには一つの直列タイマーが接続されており、この直列タイマーの設定時間が経過したときに、複数の並列タイマーのいずれかがＯＮ状態の場合には、直列タイマーはＯＮ状態を維持して再びカウントを開始する。従って、複数の並列タイマーのいずれかがＯＮ状態である限り、直列タイマーも常にＯＮ状態となり外部に報知信号を出力することはない。一方、この直列タイマーの設定時間が経過したときに、複数の並列タイマーのすべてがＯＦＦ状態の場合には、直列タイマーはＯＦＦ状態になって外部に報知信号を出力する。
【００１０】
点滴を監視中に、点滴が終了すると、検知部から検知信号が出力されなくなり、検知部に接続された複数の並列タイマーは順次ＯＦＦ状態に戻りそのままの状態になる。そして、全部の並列タイマーがＯＦＦ状態になった後、直列タイマーの設定時間が経過すると、直列タイマーはＯＮ状態を維持することなくＯＦＦ状態になって外部に報知信号を出力する。点滴中にトラブル等が発生して点滴がストップした場合も同様である。
【００１１】
そして、複数の並列タイマーの「数」と並列タイマーそれぞれの「設定時間」、及び一つの直列タイマーの「設定時間」を組み合わせることで、各タイマー相互間のＯＮ−ＯＦＦのタイミングを調整し、点滴が終了しないうちに報知信号が出力されることのないように構成することができるので、長時間の監視にも対応することができる。
【００１２】
以上、本考案によれば、複数のタイマーを組み合わせた簡単な構成で、薬剤の滴下状態を長時間監視することが可能で、さらに点滴の終了時やトラブル発生時に確実に報知することが可能な点滴監視装置を提供することができる。
【図面の簡単な説明】
【００１３】
【図１】本考案の実施形態に係る点滴監視装置を示す模式図である。
【図２】点滴監視装置の検知部を示す断面図である。
【図３】点滴監視装置の検知部を示す、（ａ）平面図、（ｂ）底面図である。
【図４】点滴監視装置の検知部と回路部の構成図である。
【図５】検知部と回路部の監視時の状態を示す図である。
【図６】検知部と回路部の監視時の状態を示す図である。
【図７】検知部と回路部の監視時の状態を示す図である。
【図８】検知部と回路部のＯＮ−ＯＦＦ状態を示す図である。
【図９】検知部と回路部のＯＮ−ＯＦＦ状態を示す図である。
【図１０】検知部と回路部のＯＮ−ＯＦＦ状態を示す図である。
【考案を実施するための形態】
【００１４】
次に、図１乃至図４を参照して、本考案の実施形態に係る点滴監視装置の構成について説明する。図１は、本実施形態に係る点滴監視装置１００を示す模式図、図２及び図３はそれぞれ、点滴監視装置１００の検知部１０を示す図２断面図、図３（ａ）平面図、図３（ｂ）底面図、図４は、点滴監視装置１００の検知部１０と回路部２０の構成図である。
【００１５】
図１に示すように、点滴台３には薬剤容器４が吊るされており、薬剤容器４に接続されたチューブ２を経由して患者の体内に薬剤が注入される。チューブ２の途中にはチャンバー１が取り付けられており、チャンバー１の内部を薬剤の液滴が一定間隔で滴下するようになっている。
【００１６】
点滴監視装置１００は、主として検知部１０、回路部２０、通報部３０及び警報部４０から構成されている。検知部１０は、チャンバー１内を滴下する液滴を検知して検知信号を出力するようになっている。検知部１０には、回路部２０が接続されており、検知部１０から出力された検知信号は、回路部２０へと送られる。
【００１７】
さらに、回路部２０には、通報部３０及び警報部４０が接続されており、一定条件下で、回路部２０から通報部３０及び警報部４０に報知信号が出力される。通報部３０は、例えば病院内のナースコール用インターホンであり、看護師への通報を行うことができる。また警報部４０は、例えばメロディ音やブザー音、警報ランプ等の警報装置である。なお、通報部３０及び警報部４０は、点滴の終了や点滴時のトラブル等を外部に報知することができるものであれば、特に限定されない。
【００１８】
次に、図２及び図３を参照して、検知部１０の構成について説明する。検知部１０は、円筒状のケース１１の内部に、光センサーによる検知手段が格納されて構成されている。ケース１１の中央には、薬剤の滴下が行われるチャンバー１を収容するための収容部１１ａが形成されており、収容部１１ａの上部には、チャンバー１に係止するための鍔部１１ｂが形成されている。また、ケース１１の上下方向には、検知部１０をチャンバー１に取り付ける際に用いるスリット１１ｃが形成されている。
【００１９】
ケース１１の内部には、光センセーによる検知手段として、チャンバー１内を滴下する液滴５の通過位置を挟むように、発光素子である発光ダイオード１２、及び受光素子であるフォトトランジスタ１３が対向して配置されている。液滴５が落下して発光ダイオード１２とフォトトランジスタ１３の間を通過すると、その瞬間発光ダイオード１２からの光線が遮られるため、フォトトランジスタ１３が受光する光に明暗が生じ、後述するリレー回路により電気的な検知信号を出力する。なお、本実施形態では検知手段として光センサーを用いたが、赤外線センサーなど他の検知手段を用いてもよい。
【００２０】
検知部１０をチャンバー１に取り付ける際には、まず、チャンバー１の上部に接続されたチューブ２の位置で、チューブ２をケース１１のスリット１１ｃに通し、その後ケース１１を降下させてチャンバー１に被せた状態にする。次に、チャンバー１の上部とケース１１の鍔部１１ｂが係止されていることを確認する。最後に、ケース１１の下部にスペーサ１４を嵌め込んで、ケース１１とチャンバー１がぶれないようにする。
【００２１】
次に、図４を参照して、検知部１０及び回路部２０の構成について説明する。なお、図４において、リレー接点中の記号はそれぞれ、Ｂ（ブレーク）、Ｍ（メーク）、Ｃ（コモン）を示すものである。
【００２２】
検知部１０のリレー回路は、発光ダイオード１２からの光線をフォトトランジスタ１３が受光している状態（明状態）では、Ｃ−Ｂ接続（破線）されており、回路部２０に対する検知信号の出力はない。次に、液滴５が落下して発光ダイオード１２とフォトトランジスタ１３の間を通過すると、その瞬間発光ダイオード１２からの光線が遮られてフォトトランジスタ１３に受光されない状態（暗状態）となり、検知部１０のリレー回路はＣ−Ｍ接続（実線）されて、回路部２０に対して検知信号が出力される。検知信号出力後は、再びＣ−Ｂ接続（破線）の状態に戻る。そして、次の液滴５を検知すると再び検知信号を出力し、点滴が終了するまでこれを繰り返す。
【００２３】
回路部２０は、複数の並列タイマーＰ１、Ｐ２、Ｐ３、・・・、ＰＮと、一つの直列タイマーＳとから構成されている。並列タイマーＰと直列タイマーＳは、いずれもワンショットタイマーであり、外部からの信号が入力されるまでは、Ｃ−Ｂ接続（破線）されてＯＦＦ状態（ブレーク状態）となっているが、外部からの信号が入力されると、Ｃ−Ｍ接続（実線）となってＯＮ状態（メーク状態）となる。そして、予め定められた設定時間の間ＯＮ状態を維持し、設定時間が経過すると再びＣ−Ｂ接続（破線）となってＯＦＦ状態となる。
【００２４】
ここで、複数の並列タイマーＰ１、Ｐ２、Ｐ３、・・・、ＰＮの設定時間（ＯＮ状態となってからＯＦＦ状態に戻るまでの時間）は、それぞれ異なっている。本実施形態では、Ｐ１＜Ｐ２＜Ｐ３＜・・・＜ＰＮとしてある。
【００２５】
検知部１０のリレー回路は、複数の並列タイマーＰ１、Ｐ２、Ｐ３、・・・、ＰＮそれぞれの入力側に、並列して接続されている。検知部１０がＯＮ状態となって出力した検知信号が複数の並列タイマーＰ１、Ｐ２、Ｐ３、・・・、ＰＮに入力されると、複数の並列タイマーＰ１、Ｐ２、Ｐ３、・・・、ＰＮはＯＮ状態となり、それぞれの設定時間が経過した後ＯＦＦ状態に戻る。そして、ＯＦＦ状態のときに、次の検知部１０からの検知信号が入力されると、再びＯＮ状態となり、この動作を繰り返す。
【００２６】
複数の並列タイマーＰ１、Ｐ２、Ｐ３、・・・、ＰＮそれぞれの出力側は、一つの直列タイマーＳに接続されている。直列タイマーＳがＣ−Ｍ接続（実線）でＯＮ状態のとき自身の設定時間が経過するとＣ−Ｂ接続（破線）のＯＦＦ状態に戻ろうとするが、複数の並列タイマーＰ１、Ｐ２、Ｐ３、・・・、ＰＮのいずれかがＯＮ状態の場合には、その並列タイマーからの入力信号により、直列タイマーＳはＣ−Ｍ接続（実線）のＯＮ状態を維持して再びカウントを開始する。一方、直列タイマーＳの設定時間が経過したときに、複数の並列タイマーＰ１、Ｐ２、Ｐ３、・・・、ＰＮのすべてがＯＦＦ状態の場合には、直列タイマーＳはＯＮ状態を維持できなくなってＣ−Ｂ接続（破線）のＯＦＦ状態になり、外部に報知信号を出力する。従って、複数の並列タイマーＰ１、Ｐ２、Ｐ３、・・・、ＰＮのいずれかがＯＮ状態である限り、直列タイマーＳは常にＯＮ状態になっており、外部への報知信号を出力することはない。
【００２７】
直列タイマーＳの出力側には、図１に示す通報部３０や警報部４０が接続されており、直列タイマーＳから出力される報知信号を受けて、ナースコールによる通報、メロディ音やブザー音、警報ランプ等による警報を行う。
【００２８】
次に、図５乃至図７を参照して、点滴監視時における検知部１０と回路部２０の動作について説明する。図５乃至図７は、それぞれ検知部１０と回路部２０の監視時の状態を示す図であり、図５は点滴開始直後を、図６は点滴途中を、図７は点滴終了時を示している。
【００２９】
点滴開始直後には、チャンバー１内を最初の液滴５が滴下する。そうすると、図５に示すように、検知部１０のリレー回路は、Ｃ−Ｍ接続のＯＮ状態になり、回路部２０に対して検知信号を出力する。回路部２０の複数の並列タイマーＰ１、Ｐ２、Ｐ３、・・・、ＰＮのそれぞれに検知信号が入力されると、すべての並列タイマーＰがＣ−Ｍ接続のＯＮ状態になる。そして、並列タイマーＰに接続された直列タイマーＳも、Ｃ−Ｍ接続のＯＮ状態になる。検知部１０のリレー回路は、チャンバー１内の液滴５の滴下を検知するたびに、検知信号を出力する。
【００３０】
次に、図６に示すように、複数の並列タイマーＰ１、Ｐ２、Ｐ３、・・・、ＰＮのうち、最も設定時間の短い並列タイマーＰ１の設定時間が経過すると、並列タイマーＰ１は、Ｃ−Ｂ接続のＯＦＦ状態になる。しかしながら、設定時間の異なる他の並列タイマーＰ２、Ｐ３、・・・、ＰＮはＯＮ状態のままになっている。そのため、仮にこの瞬間に直列タイマーＳの設定時間が経過して直列タイマーＳがＣ−Ｂ接続のＯＦＦ状態になろうとしても、並列タイマーＰ２、Ｐ３、・・・、ＰＮからの入力信号により、直列タイマーＳはＯＮ状態に維持されて再びカウントが開始されるため、報知信号が出力されることはない。複数の並列タイマーＰ１、Ｐ２、Ｐ３、・・・、ＰＮは順次それぞれの設定時間を迎えるが、そのときいずれかの並列タイマーＰがＯＮ状態にある限り、直列タイマーＳのＯＮ状態は維持される。
【００３１】
次に、点滴が終了すると、検知部１０からの検知信号が出力されなくなり、複数の並列タイマーＰ１、Ｐ２、Ｐ３、・・・、ＰＮは、それぞれの設定時間経過後に順次ＯＦＦ状態に戻りそのままとなる。そして、図７に示すように、直列タイマーＳの設定時間が経過したときに、複数の並列タイマーＰ１、Ｐ２、Ｐ３、・・・、ＰＮのすべてがＯＦＦ状態になっていれば、直列タイマーＳはＯＮ状態を維持することができなくなり、ＯＦＦ状態になって外部に報知信号を出力する。このようにして、複数のタイマーを組み合わせることで、簡単な構成により薬剤の滴下状態を監視することができる。
【００３２】
次に、検知部１０から出力される検知信号の間隔（液滴５の滴下間隔）と、並列タイマーＰ及び直列タイマーＳの組み合わせによる、点滴監視装置１００の動作の違いについてシミュレーションする。図８乃至図１０は、それぞれ検知部と回路部のＯＮ−ＯＦＦ状態（Ｍ＝ＯＮ、Ｂ＝ＯＦＦ）を示す図である。なお、以下においては、並列タイマーＰを３個（Ｐ１、Ｐ２、Ｐ３）用いた場合について説明する。
【００３３】
＜シミュレーション１＞図８
検知部１０から出力される検知信号の間隔：１秒
並列タイマーＰ１の設定時間：２秒
並列タイマーＰ２の設定時間：３秒
並列タイマーＰ３の設定時間：４秒
直列タイマーＳの設定時間：１０秒
【００３４】
図８に示すように、検知信号が１秒ごとに出力されると、開始から５９秒後（図における矢印）に並列タイマーＰ１、Ｐ２、Ｐ３のすべてがＯＦＦ状態になり、その１秒後（開始から６０秒後）に並列タイマーＰ１、Ｐ２、Ｐ３が再び同時にスタートする。また、直列タイマーＳは、図８における（１）→（２）→・・・→（８）のように１０秒ごとのサイクルを繰り返す。ここで、開始から５９秒〜６０秒の間、すなわち並列タイマーＰ１、Ｐ２、Ｐ３のすべてがＯＦＦ状態の間において、直列タイマーＳは（６）のサイクル途中にある。そして、（６）のサイクルが終了したときには、並列タイマーＰ１、Ｐ２、Ｐ３がＯＮ状態になっているため、直列タイマーＳのＯＮ状態は維持されＯＦＦ状態になることはない。従って、点滴が終了しないうちに報知信号が出力されることはない。一方、点滴が終了した場合には、並列タイマーＰ１、Ｐ２、Ｐ３が順次ＯＦＦ状態になり、直列タイマーＳも必ずＯＦＦ状態になるので、確実に報知することできる。
【００３５】
＜シミュレーション２＞図９
検知部１０から出力される検知信号の間隔：２秒
並列タイマーＰ１の設定時間：２秒
並列タイマーＰ２の設定時間：３秒
並列タイマーＰ３の設定時間：４秒
直列タイマーＳの設定時間：１０秒
【００３６】
図９に示すように、検知信号が２秒ごとに出力されると、開始から１１秒、２３秒、３５秒、４７秒、５９秒、７１秒後（図における矢印）に並列タイマーＰ１、Ｐ２、Ｐ３のすべてがＯＦＦ状態になり、それぞれの１秒後（開始から１２秒、２４秒、３６秒、４８秒、６０秒、７２秒後）に並列タイマーＰ１、Ｐ２、Ｐ３が再び同時にスタートする。また、直列タイマーＳは、図９における（１）→（２）→・・・→（８）のように１０秒ごとのサイクルを繰り返す。ここで、上記シミュレーション１と同様に、並列タイマーＰ１、Ｐ２、Ｐ３のすべてがＯＦＦ状態の間において、直列タイマーＳはそれぞれのサイクル途中にある。そして、それぞれのサイクルが終了したときには、並列タイマーＰ１、Ｐ２、Ｐ３のいずれかがＯＮ状態になっているため、直列タイマーＳのＯＮ状態は維持されＯＦＦ状態になることはない。従って、点滴が終了しないうちに報知信号が出力されることはない。一方、点滴が終了した場合には、並列タイマーＰ１、Ｐ２、Ｐ３が順次ＯＦＦ状態になり、直列タイマーＳも必ずＯＦＦ状態になるので、確実に報知することできる。
【００３７】
＜シミュレーション３＞図１０
検知部１０から出力される検知信号の間隔：３秒
並列タイマーＰ１の設定時間：２秒
並列タイマーＰ２の設定時間：３秒
並列タイマーＰ３の設定時間：４秒
直列タイマーＳの設定時間：１０秒
【００３８】
図１０に示すように、検知信号が３秒ごとに出力されると、開始から５秒、１１秒、１７秒、２３秒、２９秒、３５秒、４１秒、４７秒、５３秒、５９秒、６５秒、７１秒後（図における矢印）に並列タイマーＰ１、Ｐ２、Ｐ３のすべてがＯＦＦ状態になり、それぞれの１秒後（開始から６秒、１２秒、１８秒、２４秒、３０秒、３６秒、４２秒、４８秒、５４秒、６０秒、６６秒、７２秒後）に並列タイマーＰ１、Ｐ２、Ｐ３が再び同時にスタートする。また、直列タイマーＳは、図１０における（１）→（２）→・・・→（８）のように１０秒ごとのサイクルを繰り返す。ここで、上記シミュレーション１及び２と同様に、並列タイマーＰ１、Ｐ２、Ｐ３のすべてがＯＦＦ状態の間において、直列タイマーＳはそれぞれのサイクル途中にある。そして、それぞれのサイクルが終了したときには、並列タイマーＰ１、Ｐ２、Ｐ３のいずれかがＯＮ状態になっているため、直列タイマーＳのＯＮ状態は維持されＯＦＦ状態になることはない。従って、点滴が終了しないうちに報知信号が出力されることはない。一方、点滴が終了した場合には、並列タイマーＰ１、Ｐ２、Ｐ３が順次ＯＦＦ状態になり、直列タイマーＳも必ずＯＦＦ状態になるので、確実に報知することできる。
【００３９】
シミュレーション１〜３では、同一の回路部を用いた上で、点滴間隔を変化させることで動作の違いをシミュレーションしたが、回路部の構成を変化させる、すなわち、複数の並列タイマーＰの「数」と並列タイマーＰそれぞれの「設定時間」、及び一つの直列タイマーＳの「設定時間」を組み合わせることで、各タイマー相互間のＯＮ−ＯＦＦのタイミングを幾通りにも調整することができる。
【００４０】
例えば、複数の並列タイマーＰの「数」を増加したり、並列タイマーＰそれぞれの「設定時間」を長くしたりすると、並列タイマーＰのすべてがＯＦＦ状態になるタイミングは少なくなる。また、直列タイマーの「設定時間」を長くすると、並列タイマーＰのすべてがＯＦＦ状態になるタイミングと、直列タイマーの設定時間が経過するタイミングが重なりにくくなる。そして、このようにすると、点滴が終了しないうちに報知信号が出力される可能性は低くなる。
【００４１】
一方、点滴が終了してから外部に報知信号が出力されるまでの時間が長くなると、血液が逆流するなどの問題が生じる可能性が高くなるため、その時間はあまり長くない方が好ましい。複数の並列タイマーＰの「数」を増加したり、並列タイマーＰぞれぞれの「設定時間」を長くしたり、直列タイマーＳの「設定時間」を長くしたりすると、点滴が終了してから外部に報知信号が出力されるまでの時間が長くなる。さらに、シミュレーション１〜３に示すように、点滴間隔によっても、各タイマー相互間のＯＮ−ＯＦＦのタイミングは異なる。従って、点滴間隔を考慮しつつ、長時間の監視と迅速な報知とのバランスを図りながら、複数の並列タイマーＰの「数」と並列タイマーＰそれぞれの「設定時間」、及び一つの直列タイマーＳの「設定時間」の組み合わせを決定することが好ましい。
【００４２】
本実施形態に係る点滴監視装置１００によれば、チャンバー１内を滴下する液滴５を検知して検知信号を出力する検知部１０には、設定時間の異なる複数の並列タイマーＰ１、Ｐ２、Ｐ３、・・・、ＰＮがそれぞれ接続されており、検知部１０から出力された検知信号が入力されることで、複数の並列タイマーＰ１、Ｐ２、Ｐ３、・・・、ＰＮはそれぞれ設定された時間だけＯＮ状態になった後ＯＦＦ状態に戻る。従って、複数の並列タイマーＰ１、Ｐ２、Ｐ３、・・・、ＰＮは、別々にＯＮ−ＯＦＦ状態を繰り返すことになる。
【００４３】
複数の並列タイマーＰ１、Ｐ２、Ｐ３、・・・、ＰＮには一つの直列タイマーＳが接続されており、この直列タイマーＳの設定時間が経過したときに、複数の並列タイマーＰ１、Ｐ２、Ｐ３、・・・、ＰＮのいずれかがＯＮ状態の場合には、直列タイマーＳはＯＮ状態を維持して再びカウントを開始する。従って、複数の並列タイマーＰ１、Ｐ２、Ｐ３、・・・、ＰＮのいずれかがＯＮ状態である限り、直列タイマーＳも常にＯＮ状態となり外部に報知信号を出力することはない。一方、この直列タイマーＳの設定時間が経過したときに、複数の並列タイマーＰ１、Ｐ２、Ｐ３、・・・、ＰＮのすべてがＯＦＦ状態の場合には、直列タイマーＳはＯＦＦ状態になって外部に報知信号を出力する。
【００４４】
点滴を監視中に、点滴が終了すると、検知部１０から検知信号が出力されなくなり、検知部１０に接続された複数の並列タイマーＰ１、Ｐ２、Ｐ３、・・・、ＰＮは順次ＯＦＦ状態に戻りそのままの状態になる。そして、全部の並列タイマーＰ１、Ｐ２、Ｐ３、・・・、ＰＮがＯＦＦ状態になった後、直列タイマーＳの設定時間が経過すると、直列タイマーＳはＯＮ状態を維持することなくＯＦＦ状態になって外部に報知信号を出力する。点滴中にトラブル等が発生して点滴がストップした場合も同様である。
【００４５】
そして、複数の並列タイマーＰの「数」と並列タイマーＰそれぞれの「設定時間」、及び一つの直列タイマーＳの「設定時間」を組み合わせることで、各タイマー相互間のＯＮ−ＯＦＦのタイミングを調整し、点滴が終了しないうちに報知信号が出力されることのないように構成することができるので、長時間の監視にも対応することができる。
【００４６】
以上、本実施形態に係る点滴監視装置１００によれば、複数のタイマーを組み合わせた簡単な構成で、薬剤の滴下状態を長時間監視することが可能で、さらに点滴の終了時やトラブル発生時に確実に報知することができる。
【符号の説明】
【００４７】
１    チャンバー
２    チューブ
３    点滴台
４    薬剤容器
５    液滴
１０    検知部
１１    ケース
１１ａ  収容部
１１ｂ  鍔部
１１ｃ  スリット
１２    発光ダイオード
１３    フォトトランジスタ
１４    スペーサ
２０    回路部
３０    通報部
４０    警報部
１００    点滴監視装置
Ｐ    並列タイマー
Ｓ    直列タイマー
【図１】
0003155547.tif 000003
【図２】
0003155547.tif 000004
【図３】
0003155547.tif 000005
【図４】
0003155547.tif 000006
【図５】
0003155547.tif 000007
【図６】
0003155547.tif 000008
【図７】
0003155547.tif 000009
【図８】
0003155547.tif 000010
【図９】
0003155547.tif 000011
【図１０】
0003155547.tif 000012